(57)【特許請求の範囲】
【請求項１】
商品皿（１６）に商品（１４）を載置して提供する飲食店において、長尺のラップ材（２０）を巻回させた巻ラップ材（２２）から、ラップ材（２０）を引出す引出機構（３０）により引出されたラップ材（２０）を、カッター（３２）により所定形状に裁断し、この裁断されたラップ材（２０）を、下部に装着させた弾性体（３６）を介して下方に向けて押出す押出機構（３４）により、商品皿（１６）の商品（１４）上に、押下、掛装させ、商品（１４）を被覆することを特徴とする飲食店における商品ラップ方法。
【請求項２】
商品（１４）を載置した商品皿（１６）の有無を検知する検知バー（４２）の商品皿検出により、引出機構（３０）によるラップ材（２０）の引出し、カッター（３２）によるラップ材（２０）の所定形状裁断、押出機構（３４）によるラップ材（２０）の商品皿（１６）の商品（１４）への押下、掛装、を連動させ、商品（１４）を被覆することを特徴とする請求項１記載の飲食店における商品ラップ方法。
【請求項３】
基台（１２）の上方に商品（１４）を載置した商品皿（１６）を巡回搬送させるクレセントチェーン（１８）が配設された回転飲食台を設置した飲食店において、長尺のラップ材（２０）を巻回させた巻ラップ材（２２）からラップ材（２０）を引出す引出機構（３０）と、引出機構（３０）により引出されたラップ材（２０）を所定形状に裁断するカッター（３２）と、カッター（３２）により裁断されたラップ材（２０）を下部に装着させた弾性体（３６）を介して下方に向けて押出す押出機構（３４）と、からなるラップ装置を、クレセントチェーン（１８）上に、配設させると共に、商品皿（１６）の商品（１４）上にラップ材（２０）が被覆されてないことを感知するセンサー（４８）をクレセントチェーン（１８）に近接させて配設させ、
このセンサー（４８）の商品皿（１６）の商品（１４）上にラップ材（２０）が被覆されてないことの感知により、ラップ材（２０）が被覆されてない商品皿（１６）の商品（１４）上に、ラップ装置によりラップ材（２０）を押下、掛装させ、商品（１４）を被覆することを特徴とする回転飲食台を設置した飲食店における商品ラップ方法。
【請求項４】
クレセントチェーン（１８）に商品（１４）を載置した商品皿（１６）を供給する供給コンベア（５４）を連結させ、供給コンベア（５４）上にラップ装置を配設させ、クレセントチェーン（１８）上の商品皿（１６）がない個所を検知する検知センサー（５６）をクレセントチェーン（１８）に近接させて配設させ、
検知センサー（５６）のクレセントチェーン（１８）上の商品皿（１６）がない個所の検知により、供給コンベア（５４）上の商品皿（１６）の商品（１４）上にラップ装置を介してラップ材（２０）を押下、掛装させ、商品（１４）を被覆し、クレセントチェーン（１８）上の商品皿（１６）がない個所へ供給することを特徴とする請求項３記載の回転飲食台を設置した飲食店における商品ラップ方法。
【請求項５】
押出機構（３４）が、エアを下方に噴射するエアノズルであることを特徴とする請求項１、請求項２、請求項３または請求項４記載の飲食店または回転飲食台を設置した飲食店における商品ラップ方法。
【請求項６】
商品皿（１６）に商品（１４）を載置して提供する飲食店において、長尺のラップ材（２０）を巻回させた巻ラップ材（２２）を軸支させた支持ドラム（２４）と、
支持ドラム（２４）に軸支させた巻ラップ材（２２）からラップ材（２０）を引出す引出機構（３０）と、
引出機構（３０）により引出されたラップ材（２０）を所定形状に裁断するカッター（３２）と、
カッター（３２）により裁断されたラップ材（２０）を、下部に装着させた弾性体（３６）を介して下方に向けて押出す押出機構（３４）と、
からなり、
引出機構（３０）により巻ラップ材（２２）から引出したラップ材（２０）を、カッター（３２）により所定形状に裁断し、この裁断されたラップ材（２０）を、押出機構（３４）の弾性体（３６）を介して商品皿（１６）の商品（１４）上に、押下、掛装させることにより、商品（１４）を被覆することを特徴とする飲食店における商品ラップ装置。
【請求項７】
商品（１４）を載置した商品皿（１６）の有無を検知する検知バー（４２）の商品皿検知により、引出機構（３０）によるラップ材（２０）の引出し、カッター（３２）によるラップ材（２０）の所定形状裁断、押出機構（３４）によるラップ材（２０）の商品皿（１６）の商品（１４）への押下、掛装、を連動させ、商品（１４）を被覆することを特徴とする請求項６記載の飲食店における商品ラップ装置。
【請求項８】
基台（１２）の上方に商品（１４）を載置した商品皿（１６）を巡回搬送させるクレセントチェーン（１８）が配設された回転飲食台を設置した飲食店において、長尺のラップ材（２０）を巻回させた巻ラップ材（２２）からラップ材（２０）を引出す引出機構（３０）と、引出機構（３０）により引出されたラップ材（２０）を所定形状に裁断するカッター（３２）と、カッター（３２）により裁断されたラップ材（２０）を下部に装着させた弾性体（３６）を介して下方に向けて押出す押出機構（３４）と、からなるラップ装置を、クレセントチェーン（１８）上に、配設させると共に、商品皿（１６）の商品（１４）上にラップ材（２０）が被覆されてないことを感知するセンサー（４８）をクレセントチェーン（１８）に近接させて配設させ、
このセンサー（４８）の商品皿（１６）の商品（１４）上にラップ材（２０）が被覆されてないことの感知により、ラップ材（２０）が被覆されてない商品皿（１６）の商品（１４）上に、ラップ装置によりラップ材（２０）を押下、掛装させ、商品（１４）を被覆することを特徴とする回転飲食台を設置した飲食店における商品ラップ装置。
【請求項９】
クレセントチェーン（１８）に商品（１４）を載置した商品皿（１６）を供給する供給コンベア（５４）を連結させ、供給コンベア（５４）上にラップ装置を配設させ、クレセントチェーン（１８）上の商品皿（１６）がない個所を検知する検知センサー（５６）をクレセントチェーン（１８）に近接させて配設させ、
検知センサー（５６）のクレセントチェーン（１８）上の商品皿（１６）がない個所の検知により、供給コンベア（５４）上の商品皿（１６）の商品（１４）上にラップ装置を介してラップ材（２０）を押下、掛装させ、商品（１４）を被覆し、クレセントチェーン（１８）上の商品皿（１６）がない個所へ供給することを特徴とする請求項８記載の回転飲食台を設置した飲食店における商品ラップ装置。
【請求項１０】
押出機構（３４）が、エアを下方に噴射するエアノズルであることを特徴とする請求項６、請求項７、請求項８または請求項９記載の飲食店または回転飲食台を設置した飲食店における商品ラップ装置。
【発明の詳細な説明】
【０００１】
【発明の属する技術分野】
本発明は、商品皿に商品を載置して提供する飲食店または回転飲食台を設置した飲食店において、商品の鮮度劣化を防止することができる商品ラップ方法および装置に関するものである。
【０００２】
【従来の技術】
従来、商品皿に商品を載置して提供する飲食店、例えば回転飲食台を設置した飲食店において、回転飲食台上を巡回搬送させる商品皿上の商品である寿司の鮮度は、長時間客に食されることなく巡回搬送され続けると、著しく劣化することが知られている。
【０００３】
このため、商品である寿司の鮮度劣化を防止するため、商品を載置した商品皿上に、反復使用可能な樹脂素材により成形された、透明または半透明の蓋体を、被着させていた。
【０００４】
【発明が解決しようとする課題】
従来は前記の通り、商品の鮮度劣化を防止するために使用されてきた蓋体は、反復使用可能な樹脂素材により成形されていたため、使用後直ちに洗浄する必要があり、その作業が面倒であり、蓋体の使用個数が多い場合には特に顕著に現われることが問題となっていた。
【０００５】
また、蓋体は商品皿の使用個数に応じて多数使用されるため、常時蓋体を多数常備する必要があり、そのためコストが高騰することが問題となっていた。
【０００６】
また、飲食店内に客が入店する毎に、商品を載置した商品皿から蓋体を取外す作業が必要となり、従業者が蓋体を取る作業が客にとって目障りとなるばかりか、蓋体が被着されていた商品皿の商品は、長時間巡回搬送された鮮度が劣化した商品と判断され易く、店の商品提供に対する信用、信頼を著しく低下させる要因となっていた。
【０００７】
また、蓋体が半透明である場合には、中の商品が見難く、商品選定がし難いことが問題となっていた。
【０００８】
また、蓋体を洗浄して反復使用する都合上、洗浄が不十分である場合には、衛生的でないことが問題となっていた。
【０００９】
本発明は、取扱い易く、衛生的で、商品の鮮度劣化を防止することができる飲食店における商品ラップ方法および装置を提供することを目的とするものである。
【００１０】
【課題を解決するための手段】
本発明は、商品皿に商品を載置して提供する飲食店において、長尺のラップ材を巻回させた巻ラップ材から、ラップ材を引出す引出機構により引出されたラップ材を、カッターにより所定形状に裁断し、この裁断されたラップ材を、下部に装着させた弾性体を介して下方に向けて押出す押出機構により、商品皿の商品上に、押下、掛装させ、商品を被覆することを特徴とするもの、または商品を載置した商品皿の有無を検知する検知バーの商品皿検出により、引出機構によるラップ材の引出し、カッターによるラップ材の所定形状裁断、押出機構によるラップ材の商品皿の商品への押下、掛装、を連動させ、商品を被覆することを特徴とするもの、または基台の上方に商品を載置した商品皿を巡回搬送させるクレセントチェーンが配設された回転飲食台を設置した飲食店において、巻ラップ材からラップ材を引出す引出機構と、引出機構により引出されたラップ材を所定形状に裁断するカッターと、カッターにより裁断されたラップ材を下部に装着させた弾性体を介して下方に向けて押出す押出機構と、からなるラップ装置を、クレセントチェーン上に、配設させると共に、商品皿の商品上にラップ材が被覆されてないことを感知するセンサーをクレセントチェーンに近接させて配設させ、このセンサーの商品皿の商品上にラップ材が被覆されてないことの感知により、ラップ材が被覆されてない商品皿の商品上に、ラップ装置によりラップ材を押下、掛装させ、商品を被覆することを特徴とするもの、またはクレセントチェーンに商品を載置した商品皿を供給する供給コンベアを連結させ、供給コンベア上にラップ装置を配設させ、クレセントチェーン上の商品皿がない個所を検知する検知センサーをクレセントチェーンに近接させて配設させ、検知センサーのクレセントチェーン上の商品皿がない個所の検知により、供給コンベア上の商品皿の商品上にラップ装置を介してラップ材を押下、掛装させ、商品を被覆し、クレセントチェーン上の商品皿がない個所へ供給することを特徴とするもの、または押出機構が、エアを下方に噴射するエアノズルであることを特徴とするものである。
【００１１】
【発明の実施の形態】
本発明に係る飲食店における商品ラップ装置は、図１〜図４に示すように、以下の構成からなるものである。
【００１２】
本例の飲食店は、基台１２の上方で商品１４である寿司を載置した商品皿１６を巡回搬送させるクレセントチェーン１８が配設された回転飲食台を設置した飲食店（図５および図６参照）である。
【００１３】
長尺のラップ材２０を巻回させた巻ラップ材２２を軸支させた支持ドラム２４が装置本体２６の上方に配設されている。
【００１４】
本例において、ラップ材２０は透明なセロハンであり、支持ドラム２４は被動軸２８に軸支させてある。
【００１５】
支持ドラム２４に軸支させた巻ラップ材２２からラップ材２０を引出す引出機構３０が、装置本体２６内部の支持ドラム２４より下方に配設されている。
【００１６】
本例において、引出機構３０は駆動軸（図示略）に軸支された上下一対の引出ローラである。
【００１７】
引出機構３０により引出されたラップ材２０を所定形状に裁断するカッター３２が、装置本体２６内部の、引出機構３０により引出されたラップ材２０の上部に、配設されている。
【００１８】
本例において、カッター３２は下端に刃を備え、昇降自在とし、下降時に引出されたラップ材２０をその幅方向に裁断後、再び上昇して元の位置に戻る構造である。
【００１９】
カッター３２により裁断されたラップ材２０を下方に向けて押出す押出機構３４が、装置本体２６内部の、カッター３２の前方（  図２  において左側）  に、配設されている。
【００２０】
本例において、押出機構３４は下部に、スポンジ等の弾性体３６を装着させ、駆動軸３８を介して弾性体３６を上下動自在とし、この弾性体３６の下降時にラップ材２０を下方に押出す構造である。
【００２１】
この弾性体３６の商品１４である寿司の上面への押下時、ラップ材２０と弾性体３６とが確実に密着状態となり、空調設備により発生する風により、ラップ材２０が外部に飛ばされることがなく、また商品１４上面への当接時、弾性体３６の弾性変形により、ラップ材２０を商品１４上に確実に掛装させることができる。
【００２２】
装置本体２６の下部に、外方に開放させて商品皿１６の挿入スペース４０が形成されている。
【００２３】
商品１４を載置した商品皿１６の有無を検知する検知バー４２が、装置本体２６の挿入スペース４０の奥側壁に配設されている。
【００２４】
本例において、検知バー４２は、リミットスイッチであり、外方に向けて出没自在構造とし、検知バー４２に商品皿１６の周縁が当接した際に内方に埋没し、商品皿１６を検出する。
【００２５】
この検知バー４２と、引出機構３０、カッター３２および押出機構３４と、を連動させてある。
【００２６】
なお、図中４４はガイドローラー、４６はラップ材２０を水平に案内させるためのガイドを示す。
【００２７】
本装置を使用して、回転飲食台を設置した飲食店において、商品１４の鮮度劣化防止のために商品１４を被覆する方法を以下に詳述する。
【００２８】
まず、商品１４を載置した商品皿１６を、装置本体２６の挿入スペース４０に挿入、設置する（図１、図２および図３左側部分参照）。
【００２９】
次に、商品皿１６の挿入スペース４０への挿入、設置により、挿入スペース４０の奥側壁の検知バー４２が内方に埋没し、検知バー４２が商品皿１６を検出する。
【００３０】
この検知バー４２の商品皿検出により、引出機構３０により引出されたラップ材２０を、カッター３２により裁断し、この裁断されたラップ材２０を、押出機構３４により挿入スペース４０に挿入、設置した商品皿１６の商品１４上に、押下、掛装し、商品１４を被覆する（図３右側部分参照）。
【００３１】
この際、押出機構３４の下部の弾性体３６を介して商品１４である寿司の上面へラップ材２０を押下させるため、ラップ材２０と弾性体３６とが確実に密着状態となり、空調設備により発生する風により、ラップ材２０が外部に飛ばされることがなく、商品１４上面への当接時、弾性体３６の弾性変形により、ラップ材２０を商品１４上に掛装させ、商品１４を確実に被覆することができる。
【００３２】
また、引出機構３０による巻ラップ材２２からのラップ材２０の引出しは、検知バー４２の商品皿検出後に行うようにしてもよく、あるいはカッター３２によるラップ材２０の裁断後に行うようにしてもよい。
【００３３】
また、ラップ材２０による商品１４の被覆後、押出機構３４は上昇し、元の位置に戻る（図３左側参照）。
【００３４】
その後、装置本体２６の挿入スペース４０からラップ材２０により商品１４が被覆された商品皿１６を取出し、回転飲食台上に供給し、客に提供する。
【００３５】
この際、商品１４はラップ材２０により被覆されているため、商品１４の鮮度劣化を防止し、ゴミ、ホコリ等の付着防止、またハエ等の害虫および客の手等が直接商品１４に触れることを防止することができ、極めて衛生的である。
【００３６】
また、ラップ材２０は透明なセロハンであるため、ラップ材２０により商品１４を被覆しても、外部からラップ材２０により被覆された中の商品１４を確認することができ、商品選定がし易い。
【００３７】
また、客はラップ材２０により被覆された商品１４が載置された商品皿１６をそのままの状態で取り、ラップ材２０を剥離して商品１４を飲食する。
【００３８】
その後、剥離されたラップ材２０は廃棄すればよく、従来のような反復使用可能な蓋体を使用後洗浄する作業が皆無となり、またラップ材２０は商品被覆時に常時新らしく使用されるため、衛生的である。
【００３９】
また、巻ラップ材２２に巻回されたラップ材２０がなくなった場合には、ラップ材２０が十分巻回された新しい巻ラップ材２２と取替えて使用する。
【００４０】
また、図５に本発明に係る商品ラップ装置の別の例が示してある。
【００４１】
本例は、前例同様、回転飲食台を設置した飲食店において、前例と略同一構造のラップ装置をクレセントチェーン１８上に配設させると共に、商品皿１６の商品１４上にラップ材２０が被覆されてないことを感知するセンサー４８をクレセントチェーン１８に近接させて配設させてなるものである。
【００４２】
本例のラップ装置は、前例装置の挿入スペース４０を省略して装置を小型化し、クレセントチェーン１８上に位置させたものであり、他の構成要素は全て前例装置と同一であるため、説明は省略する。
【００４３】
なお、図中５０はカウンター、５２は給湯茶カランを示す。
【００４４】
本例の使用方法を以下に説明する。
【００４５】
まず、作業者が回転飲食台のクレセントチェーン１８上へ商品１４である寿司を載置した商品皿１６を適宜供給する。
【００４６】
次に、センサー４８が、商品皿１６の商品１４上にラップ材２０が被覆されてないことを感知し、ラップ装置を作動させる。
【００４７】
次に、ラップ装置の作動により、ラップ材２０により被覆されてない商品皿１６の商品１４上に、ラップ材２０を押下、掛装させ、商品１４を被覆する。
【００４８】
このため、作業者は前例のようにラップ装置の挿入スペース４０に商品１４を載置した商品皿１６を挿入する作業を必要とせず、単に商品１４を載置させた商品皿１６をクレセントチェーン１８上へ供給するだけで、この供給された商品皿１６の商品１４上に自動的にラップ材２０が被覆されるので、作業者のラップ作業負担を皆無とすることができる。
【００４９】
また、図６に本発明に係る商品ラップ装置のさらに別の例が示してある。
【００５０】
本例は、回転飲食台を設置した飲食店において、クレセントチェーン１８に、商品１４を載置した商品皿１６を供給する供給コンベア５４を連結させ、この供給コンベア５４上に、図５に示す例と同様のラップ装置を配設させ、クレセントチェーン１８上の商品皿１６がない個所を検知する検知センサー５６をクレセントチェーン１８に近接させて配設させてなるものである。
【００５１】
なお、図中５０はカウンター、５２は給湯茶カラン、５８は作業台を示す。
【００５２】
本例の使用方法を以下に説明する。
【００５３】
まず、作業者が供給コンベア５４上に商品１４を載置した商品皿１６を供給する。
【００５４】
次に、検知センサー５６のクレセントチェーン１８上の商品皿１６がない個所の検知により、供給コンベア５４上の商品皿１６の商品１４上にラップ装置によりラップ材２０を押下、掛装させ、商品１４を被覆し、この商品１４をクレセントチェーン１８上の商品皿１６がない個所へ供給する。
【００５５】
このため、クレセントチェーン１８上の商品皿１６がない個所へ自動的に、ラップ材２０により商品１４が被覆された商品皿１６を供給することができ、商品提供効率を向上させることができる。
【００５６】
また、図７に押出機構３４の別の例が示してある。
【００５７】
本例において、押出機構３４は下部に、スポンジ等の弾性体３６を装着させ、エアシリンダー６０を介して弾性体３６を上下動自在とし、この弾性体３６の下降時にラップ材２０を下方に押出す構造であり、作用、効果については図１〜図４に示す例と同様であるため、説明は省略する。
【００５８】
また、図８に押出機構３４のさらに別の例が示してある。
【００５９】
本例の押出機構３４は、エアを下方に噴射するエアノズルであり、カッター３２により裁断されたラップ材２０を、エアノズルのエア噴射により、下方にラップ材２０を押下させるものであり、構造が簡易となり、メンテナンスがし易く、コスト削減を図ることができる。
【００６０】
なお、全例において、ラップ材２０は透明なセロハンであるが、透明なラップでもよく、また視認性は良くないが、その他の樹脂素材により成形された不透明なラップ材とすることは自由である。
【００６１】
また、カッター３２は下端に刃を備え、昇降自在の機構であるが、電熱手段を介してラップ材２０を裁断する機構ものでもよく、ラップ材２０を裁断できる他の機構を採用することは自由である。
【００６２】
また、カッター３２は、引出機構３０により引出されたラップ材２０を幅方向に裁断するものであるが、四角形状、円形に裁断するものでもよく、またその他の形状に裁断するものでもよい。
【００６３】
また、検知バー４２は外方へ出没自在のリミットスイッチであるが、商品皿１６を検出できるセンサーでもよく、また商品皿１６を検出できる他の機構を採用することは自由である。
【００６４】
また、検知バー４２と引出機構３０、カッター３２および押出機構３４とを連動させてあるが、検知バー４２を省略し、商品皿１６の設置後、引出機構３０、カッター３２および押出機構３４を手動スイッチにより作動させることは自由である。
【００６５】
また、装置本体２６は、支持ドラム２４、引出機構３０、カッター３２、押出機構３４等の機構が配設されているが、挿入スペース４０を省略し、店内の壁面あるいは厨房器具の側面に装着させて使用することは自明である。
【００６６】
また、本発明の方法および装置は、回転飲食台を設置した飲食店に限定して使用されるものではなく、商品を商品皿等の容器に載置あるいは収納して提供するその他の飲食店でも利用できることは自明である。
【００６７】
【発明の効果】
本発明に係る飲食店における商品ラップ方法および装置によれば、ラップ材を巻回させた巻ラップ材から、引出機構により引出されたラップ材を、カッターにより所定形状に裁断し、この裁断されたラップ材を、押出機構の下部に装着させた弾性体により、商品皿に載置した商品上に、押下、掛装させることにより、商品を被覆するため、ラップ材と弾性体とが確実に密着状態となり、空調設備により発生する風により、ラップ材が外部に飛ばされることがなく、商品上面への当接時、弾性体の弾性変形により、ラップ材により商品を確実に被覆することができ、商品の鮮度劣化を防止し、ゴミ、ホコリ等の付着防止、またハエ等の害虫および客の手等が直接商品に触れることを防止することができ、極めて衛生的である。
【００６８】
また、ラップ材により商品を被覆しても、外部からラップ材により被覆された商品を確認することができ、商品選定がし易い。
【００６９】
また、使用後、ラップ材は廃棄すればよく、従来のような反復使用可能な蓋体を使用後洗浄する作業が皆無となり、またラップ材は商品被覆時に常時新らしく使用されるため、衛生的である。
【００７０】
また、検知バーの商品皿検出により、引出機構により引出されたラップ材のカッターによる裁断、この裁断されたラップ材を押出機構により商品上へ押下、掛装して商品を被覆することにより、自動的に商品皿に載置させた商品をラップ材により被覆することができる。
【００７１】
また、基台上方に商品を載置した商品皿を巡回搬送させるクレセントチェーンが配設された回転飲食台を設置した飲食店において、クレセントチェーン上にラップ装置を配設させると共に、商品皿の商品上にラップ材が被覆されてないことを感知するセンサーをクレセントチェーンに近接させて配設させ、このセンサーの商品皿の商品上にラップ材が被覆されてないことの感知により、ラップ材が被覆されてない商品皿の商品上に、ラップ装置によりラップ材を押下、掛装させ、商品を被覆することにより、作業者はラップ装置の挿入スペースに商品を載置させた商品皿を挿入する作業を必要とせず、単に商品を載置させた商品皿をクレセントチェーン上へ供給するだけで、この供給された商品皿の商品上に自動的にラップ材が被覆されるので、作業者のラップ作業負担を皆無とすることができる。
【００７２】
また、クレセントチェーンに商品皿を供給する供給コンベアを連結させ、クレセントチェーン上の商品皿がない個所を検知する検知センサーをクレセントチェーンに近接させて配設させ、検知センサーのクレセントチェーン上の商品皿がない個所の検知により、供給コンベア上の商品皿の商品上にラップ装置を介してラップ材を押下、掛装させ、商品を被覆し、クレセントチェーン上の商品皿がない個所へ供給することにより、クレセントチェーン上の商品皿がない個所へ自動的に、ラップ材により商品が被覆された商品皿を供給することができ、商品提供効率を向上させることができる。
【００７３】
また、押出機構を、エアを下方に噴射するエアノズルとすることにより、構造を極めて簡易とし、メンテナンスがし易く、コスト削減を図ることができる。
【図面の簡単な説明】
【図１】本発明に係る飲食店における商品ラップ装置の斜視図。
【図２】同、内部機構を示す断面図。
【図３】同、ラップ材の被覆工程を示す断面図。
【図４】商品とラップ材を示す斜視図。
【図５】本発明に係る回転飲食台を設置した飲食店における商品ラップ装置の斜視図。
【図６】本発明に係る回転飲食台を設置した飲食店における商品ラップ装置の別の例を示す斜視図。
【図７】押出機構の別の例の使用状態を示す断面図。
【図８】押出機構のさらに別の例の使用状態を示す断面図。
【符号の説明】
１２  基台
１４  商品
１６  商品皿
１８  クレセントチェーン
２０  ラップ材
２２  巻ラップ材
２４  支持ドラム
３０  引出機構
３２  カッター
３４  押出機構
３６  弾性体
４２  検知バー
４８  センサー
５４  供給コンベア
５６  検知センサー
【図１】
0003547123.tif 000002
【図２】
0003547123.tif 000003
【図３】
0003547123.tif 000004
【図４】
0003547123.tif 000005
【図５】
0003547123.tif 000006
【図６】
0003547123.tif 000007
【図７】
0003547123.tif 000008
【図８】
0003547123.tif 000009